(57)【要約】【課題】携帯端末の操作者が、工事物件のうち撮影すべき施工箇所を確実に把握することのできる工事画像収集装置を提供する。【解決手段】画像を撮影すべき複数の施工箇所３２０を含む工事物件３１０に関する設計図データＤＤを記憶している記憶部１０と、画像撮影部２１０を備える携帯端末２００により撮影された施工箇所３２０に関する画像データＧＤを携帯端末２００から受け付ける受信部２０と、受け付けられた画像データＧＤを設計図データＤＤにおける施工箇所３２０と関連づけて保存する保存処理部３０と、画像データＧＤが関連づけられていない施工箇所３２０の一部または全部を示す撮影指示データＩＤを、携帯端末２００に対して送信する指示部６０と、を含む工事画像収集装置１００。【選択図】図１
2010044716.tif 000002
【特許請求の範囲】
【請求項１】
画像を撮影すべき複数の施工箇所を含む工事物件に関する設計図データを記憶している記憶手段と、
画像撮影手段を備える携帯端末により撮影された前記施工箇所に関する画像データを前記携帯端末から受け付ける受信手段と、
受け付けられた前記画像データを前記設計図データにおける前記施工箇所と関連づけて保存する保存処理手段と、
前記画像データが関連づけられていない前記施工箇所の一部または全部を示す撮影指示データを、前記携帯端末に対して送信する指示手段と、
を含む工事画像収集装置。
【請求項２】
前記記憶手段が、前記施工箇所ごとの施工予定時期を示す工程データをさらに記憶しているとともに、
前記指示手段が、前記撮影指示データとして、前記画像データが関連づけられていない複数の前記施工箇所のうち、前記施工予定時期がもっとも近接する施工箇所を示すデータを前記携帯端末に送信することを特徴とする請求項１に記載の工事画像収集装置。
【請求項３】
前記受信手段が、
前記携帯端末が受信した前記撮影指示データにて示された前記施工箇所に対応する応答情報を、前記画像データとともに前記携帯端末より受け付けることを特徴とする請求項１または２に記載の工事画像収集装置。
【請求項４】
前記受信手段が、前記画像データとともに、前記携帯端末の操作者により入力された前記施工箇所を識別する識別情報を前記携帯端末から受け付けることを特徴とする請求項３に記載の工事画像収集装置。
【請求項５】
前記記憶手段が、前記施工箇所を示す撮影対象リストデータと前記設計図データとを対応づけて記憶しているとともに、
前記保存処理手段が、前記識別情報と前記撮影対象リストデータとを対比して、前記画像データを前記設計図データにおける前記施工箇所と関連づけることを特徴とする請求項４に記載の工事画像収集装置。
【請求項６】
前記受信手段が受け付ける前記識別情報が、撮影された前記施工箇所を示す音声データであるとともに、
受け付けられた前記音声データをテキストデータに変換する音声認識手段をさらに含み、
前記保存処理手段が、変換された前記テキストデータと前記撮影対象リストデータとを対比して、前記画像データを前記設計図データにおける前記施工箇所と関連づけることを特徴とする請求項５に記載の工事画像収集装置。
【請求項７】
前記受信手段が受け付ける前記識別情報が、前記携帯端末よりキー入力されたテキストデータであるとともに、
前記保存処理手段が、受け付けられた前記テキストデータと前記撮影対象リストデータとを対比して、前記画像データを前記設計図データにおける前記施工箇所と関連づけることを特徴とする請求項５に記載の工事画像収集装置。
【請求項８】
前記応答情報に対応する施工箇所と、前記識別情報に対応する施工箇所とを照合し、前記画像データの適否を判定する照合手段をさらに備える請求項４から７のいずれかに記載の工事画像収集装置。
【請求項９】
前記指示手段が、前記照合手段による照合結果を示す適否情報を前記携帯端末に送信する請求項８に記載の工事画像収集装置。
【請求項１０】
画像撮影手段を備える携帯端末と、前記携帯端末に接続された工事画像収集装置とを含み、工事物件に関する複数箇所の画像データを前記工事物件の設計図データと関連づけて収集する工事画像収集システムであって、
前記携帯端末は、
前記画像撮影手段により撮影した前記工事物件の施工箇所に関する画像データを前記工事画像収集装置に送信し、
前記工事画像収集装置は、
受け付けられた前記画像データを前記設計図データにおける前記施工箇所と関連づけて保存するとともに、
前記画像データが関連づけられていない前記施工箇所の一部または全部を示す撮影指示データを、前記携帯端末に対して送信することを特徴とする工事画像収集システム。
【請求項１１】
前記工事画像収集装置が、前記施工箇所ごとの施工予定時期を示す工程データを記憶しているとともに、前記撮影指示データとして、前記画像データが関連づけられていない複数の前記施工箇所のうち、前記施工予定時期がもっとも近接する施工箇所を示すデータを前記携帯端末に送信することを特徴とする請求項１０に記載の工事画像収集システム。
【請求項１２】
前記携帯端末が、受信した前記撮影指示データにて示された前記施工箇所に対応する応答情報を、前記画像データとともに前記工事画像収集装置に送信することを特徴とする請求項１０または１１に記載の工事画像収集システム。
【請求項１３】
画像撮影手段を備える携帯端末と接続され、工事物件に関する複数箇所の画像データを前記工事物件の設計図データと関連づけて収集する工事画像収集装置のためのコンピュータプログラムであって、
前記画像撮影手段により撮影された前記工事物件の施工箇所に関する画像データを前記携帯端末から受け付ける受信処理と、
受け付けられた前記画像データを前記設計図データにおける前記施工箇所と関連づけて保存する保存処理と、
前記画像データが関連づけられていない前記施工箇所の一部または全部を示す撮影指示データを、前記携帯端末に対して送信する指示送信処理と、
を前記工事画像収集装置に実行させることを特徴とするコンピュータプログラム。
【請求項１４】
前記指示送信処理にて、前記画像データが関連づけられていない複数の前記施工箇所のうち、施工予定時期がもっとも近接する施工箇所を示すデータを前記携帯端末に対して送信することを特徴とする請求項１３に記載のコンピュータプログラム。
【請求項１５】
前記受信処理にて、前記携帯端末が受信した前記撮影指示データにて示された前記施工箇所に対応する応答情報を、前記画像データとともに前記携帯端末より受け付けることを特徴とする請求項１３または１４に記載のコンピュータプログラム。
【請求項１６】
前記受信処理にて、前記画像データとともに、前記携帯端末の操作者により入力された前記施工箇所を識別する識別情報を前記携帯端末から受け付けることを特徴とする請求項１３から１５のいずれかに記載のコンピュータプログラム。
【請求項１７】
画像撮影手段を備える携帯端末と接続された工事画像収集装置を用いて、工事物件に関する複数箇所の画像データを前記工事物件の設計図データと関連づけて収集する方法であって、
前記画像撮影手段により撮影された前記工事物件の施工箇所に関する画像データを前記携帯端末から受け付ける受信ステップと、
受け付けられた前記画像データを前記設計図データにおける前記施工箇所と関連づけて保存する保存ステップと、
前記画像データが関連づけられていない前記施工箇所の一部または全部を示す撮影指示データを、前記携帯端末に対して送信する指示送信ステップと、
を含む工事画像収集方法。
【請求項１８】
前記指示送信ステップにて、前記画像データが関連づけられていない複数の前記施工箇所のうち、施工予定時期がもっとも近接する施工箇所を示すデータを前記携帯端末に対して送信することを特徴とする請求項１７に記載の工事画像収集方法。
【請求項１９】
前記受信ステップにて、前記携帯端末が受信した前記撮影指示データにて示された前記施工箇所に対応する応答情報を、前記画像データとともに前記携帯端末より受け付けることを特徴とする請求項１７または１８に記載の工事画像収集方法。
【請求項２０】
前記受信ステップにて、前記画像データとともに、前記携帯端末の操作者により入力された前記施工箇所を識別する識別情報を前記携帯端末から受け付けることを特徴とする請求項１７から１９のいずれかに記載の工事画像収集方法。
【発明の詳細な説明】
【技術分野】
【０００１】
本発明は、工事画像収集装置、工事画像収集システム、工事画像収集装置のためのコンピュータプログラムおよび工事画像収集方法に関する。
【背景技術】
【０００２】
この種の技術に関し、下記特許文献１には、工事現場の撮影画像にその撮影ポイントを示すＧＰＳ（全地球測位システム：Global Positioning System）情報をヘッダ領域にタグ情報として記録した画像ファイルを収集し、設計図データに対してサーバ側でマッピングする工事情報管理システムの発明が開示されている。
これにより、工事画像が設計図データにマッピングされたマッピング画像を、ネットワークを通じて建設総責任者、現場建設責任者、及びその他のクライアント等が共有することができ、建設計画、報告書作成等に活用することができるとされている。
【０００３】
また、下記特許文献２には、カメラ及びＧＰＳ機能を有する携帯端末より、撮影された杭施工現場における作業手順の画像データ並びに該撮影日時及び撮影位置の情報を取得して管理端末に表示させる杭施工管理システムの発明が開示されている。
これにより、工事進捗状況が一目瞭然に把握できるとされている。
【０００４】
【特許文献１】特開２００６−７９２７８号公報
【特許文献２】特開２００６−２８３２９４号公報
【発明の開示】
【発明が解決しようとする課題】
【０００５】
上記各特許文献に記載のシステムでは、携帯端末の操作者は、撮影する施工箇所を主体的に判断して画像を取得していた。このため、工事物件のうちどの施工箇所を撮影すべきであるかを操作者が正しく把握することができず、撮影の重複が生じたり、必要な段階での撮影を失念してしまったりするなど作業性に問題があった。
【課題を解決するための手段】
【０００６】
本発明の工事画像収集装置は、画像を撮影すべき複数の施工箇所を含む工事物件に関する設計図データを記憶している記憶手段と、
画像撮影手段を備える携帯端末により撮影された前記施工箇所に関する画像データを前記携帯端末から受け付ける受信手段と、
受け付けられた前記画像データを前記設計図データにおける前記施工箇所と関連づけて保存する保存処理手段と、
前記画像データが関連づけられていない前記施工箇所の一部または全部を示す撮影指示データを、前記携帯端末に対して送信する指示手段と、
を含む。
【０００７】
また、本発明の工事画像収集システムは、画像撮影手段を備える携帯端末と、前記携帯端末に接続された工事画像収集装置とを含み、工事物件に関する複数箇所の画像データを前記工事物件の設計図データと関連づけて収集する工事画像収集システムであって、
前記携帯端末は、
前記画像撮影手段により撮影した前記工事物件の施工箇所に関する画像データを前記工事画像収集装置に送信し、
前記工事画像収集装置は、
受け付けられた前記画像データを前記設計図データにおける前記施工箇所と関連づけて保存するとともに、
前記画像データが関連づけられていない前記施工箇所の一部または全部を示す撮影指示データを、前記携帯端末に対して送信することを特徴とする。
【０００８】
また、本発明のコンピュータプログラムは、画像撮影手段を備える携帯端末と接続され、工事物件に関する複数箇所の画像データを前記工事物件の設計図データと関連づけて収集する工事画像収集装置のためのコンピュータプログラムであって、
前記画像撮影手段により撮影された前記工事物件の施工箇所に関する画像データを前記携帯端末から受け付ける受信処理と、
受け付けられた前記画像データを前記設計図データにおける前記施工箇所と関連づけて保存する保存処理と、
前記画像データが関連づけられていない前記施工箇所の一部または全部を示す撮影指示データを、前記携帯端末に対して送信する指示送信処理と、
を前記工事画像収集装置に実行させることを特徴とする。
【０００９】
また、本発明の工事画像収集方法は、画像撮影手段を備える携帯端末と接続された工事画像収集装置を用いて、工事物件に関する複数箇所の画像データを前記工事物件の設計図データと関連づけて収集する方法であって、
前記画像撮影手段により撮影された前記工事物件の施工箇所に関する画像データを前記携帯端末から受け付ける受信ステップと、
受け付けられた前記画像データを前記設計図データにおける前記施工箇所と関連づけて保存する保存ステップと、
前記画像データが関連づけられていない前記施工箇所の一部または全部を示す撮影指示データを、前記携帯端末に対して送信する指示送信ステップと、
を含む。
【００１０】
なお、本発明の各種の構成要素は、その機能を実現するように形成されていればよく、例えば、所定の機能を発揮する専用のハードウェア、所定の機能がコンピュータプログラムにより付与された情報処理装置、コンピュータプログラムにより情報処理装置に実現された所定の機能、これらの任意の組み合わせ、等として実現することができる。
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１１】
さらに、本発明で云う「データを記憶する」とは、本発明の装置が、少なくともデータを記憶する機能を有することを意味している。一方、本発明で云う「データを記憶している」とは、本発明の装置が、少なくとも工事物件の施工者などのコンシューマにより使用されるときに「データを記憶している」状態となる機能を有することを意味している。
【００１２】
また、本発明の工事画像収集方法は、複数の工程を順番に記載してあるが、その記載の順番は複数の工程を実行する順番を必ずしも限定するものではない。このため、本発明の工事画像収集方法を実施するときには、その複数の工程の順番は内容的に支障しない範囲で変更することができる。
さらに、本発明の工事画像収集方法は、複数の工程が個々に相違するタイミングで実行されることに限定されない。このため、ある工程の実行中に他の工程が発生すること、ある工程の実行タイミングと他の工程の実行タイミングとの一部ないし全部が重複していること、等でもよい。
【００１３】
また、本発明で云う工事画像収集装置は、コンピュータプログラムを読み取って対応するデータ処理を実行できるように、ＣＰＵ（Central Processing Unit）、ＲＯＭ（Read Only Memory）、ＲＡＭ（Random Access Memory）、Ｉ／Ｆ（Interface）ユニット、等の汎用デバイスで構築されたハードウェア、所定の情報処理を実行するように構築された専用の論理回路、これらの組み合わせ、等として実施することができる。
なお、本発明でコンピュータプログラムに対応した各種動作を工事画像収集装置に実行させることは、各種デバイスを工事画像収集装置に動作制御させることなども意味している。
例えば、工事画像収集装置に各種データを記憶させることは、工事画像収集装置に固定されているＨＤＤ（Hard Disc Drive）等の情報記憶媒体にＣＰＵが各種データを格納すること、工事画像収集装置に交換自在に装填されているＣＤ−Ｒ（Compact Disc-Recordable）等の情報記憶媒体にＣＰＵがＣＤドライブで各種データを格納すること、等でよい。
【発明の効果】
【００１４】
本発明の工事画像収集装置は、画像データが関連づけられていない施工箇所の一部または全部を示す撮影指示データを携帯端末に対して送信する。これにより、携帯端末の操作者は、工事物件のうち画像データが未取得の施工箇所を確実に把握することができる。
【発明を実施するための最良の形態】
【００１５】
以下、本発明の実施形態を図面に基づいて説明する。尚、すべての図面において、同様な構成要素には同様の符号を付し、適宜説明を省略する。
【００１６】
図１は、本発明の実施形態にかかる工事画像収集装置１００およびこれを含む工事画像収集システム１０００のブロック図である。
【００１７】
はじめに、本実施形態の工事画像収集装置１００の概要について説明する。
本実施形態の工事画像収集装置１００は、画像を撮影すべき複数の施工箇所３２０を含む工事物件３１０に関する設計図データＤＤを記憶している記憶部１０と、画像撮影部２１０を備える携帯端末２００により撮影された施工箇所３２０に関する画像データＧＤを携帯端末２００から受け付ける受信部２０と、受け付けられた画像データＧＤを設計図データＤＤにおける施工箇所３２０と関連づけて保存する保存処理部３０と、画像データＧＤが関連づけられていない施工箇所３２０の一部または全部を示す撮影指示データＩＤを、携帯端末２００に対して送信する指示部６０と、を含む。
【００１８】
そして、本実施形態の工事画像収集装置１００は、携帯端末２００とネットワーク３００を介して接続され、工事物件３１０に関する複数箇所の画像データＧＤを工事物件３１０の設計図データＤＤと関連づけて収集する。
【００１９】
本実施形態の工事画像収集システム１０００は、画像撮影部２１０を備える携帯端末２００と、携帯端末２００に接続された工事画像収集装置とを含み、工事画像収集装置１００とを含み、工事物件３１０に関する複数箇所の画像データＧＤを工事物件３１０の設計図データＤＤと関連づけて収集するものである。
本実施形態の工事画像収集システム１０００では、
携帯端末２００は、画像撮影部２１０により撮影した工事物件３１０の施工箇所３２０に関する画像データＧＤを工事画像収集装置１００に送信する。
そして、工事画像収集装置１００は、受け付けられた画像データＧＤを設計図データＤＤにおける施工箇所３２０と関連づけて保存するとともに、画像データＧＤが関連づけられていない施工箇所３２０の一部または全部を示す撮影指示データＩＤを、携帯端末２００に対して送信する。
【００２０】
次に、本実施形態の工事画像収集装置１００および工事画像収集システム１０００について詳細に説明する。
ネットワーク３００には複数の基地局３０２が接続されており、携帯端末２００は基地局３０２を介して工事画像収集装置１００と無線接続されている。
【００２１】
携帯端末２００には、画像撮影部２１０として公知のカメラ機能付きの携帯電話機を用いることができる。ただし、携帯端末２００としては本実施形態の工事画像収集システム１０００に専用の携帯通信端末を用いてもよい。
携帯端末２００は、表示部２０２、キー入力部２０４および音声入力部２０６を備えており、キー入力部２０４の操作により、工事画像収集装置１００との通信および呼接続の確立と切断が可能である。
【００２２】
ネットワーク３００は、工事画像収集装置１００と携帯端末２００とを仲介するものであればよく、有線、無線またはこれらの組み合わせである。インターネットや次世代のインターネットであるＮＧＮ（Ｎｅｘｔ  Ｇｅｎｅｒａｔｉｏｎ  Ｎｅｔｗｏｒｋ）であってもよい。
【００２３】
工事画像収集装置１００により画像データＧＤが収集される工事物件３１０は、建築物や道路などの建設物である。特に、国や地方公共団体からの発注にかかる建設物が例示される。さらには、既存のＧＰＳ情報に基づく測位精度を超える高い精度の位置情報を画像データに付加できる本実施形態においては、ビルやマンションなどの複数階を有する建築物が工事物件３１０として好適に例示される。
【００２４】
工事物件３１０のうち、画像を撮影すべき対象箇所ＴＰとしては、例えばビルの場合、基礎（下部）構造や、壁、床、窓、階段、エレベータなどの上部構造のほか、扉、トイレ、調度品などの内装に至るまで様々である。
図１では、携帯端末２００の画像撮影部２１０により撮影される施工箇所３２０として、特定階のエレベータ３２１および廊下窓３２２を具体的に図示している。すなわち、工事物件３１０に含まれるエレベータ３２１や廊下窓３２２などの具体的な施工箇所３２０は、工事画像収集装置１００において対象箇所ＴＰとして管理されている。
【００２５】
図２は、工事画像収集装置１００に記憶された設計図データＤＤの一例を示す模式図である。同図に示す設計図データＤＤは、工事物件３１０の特定階（例えば３階）の平面図である。設計図データＤＤは、画像を撮影すべき対象箇所ＴＰ（ＴＰ１〜ＴＰ９）を含んでいる。
【００２６】
図３は、撮影対象リストデータＬＤの一例を示す図である。本実施形態の撮影対象リストデータＬＤは、対象箇所ＴＰとその名称がテーブル形式で記憶部１０に保存されている。設計図データＤＤと撮影対象リストデータＬＤとは、対象箇所ＴＰの識別符号（ＴＰ１〜ＴＰ９）によって対応づけられている。
また、撮影対象リストデータＬＤには、図１に示すエレベータ３２１と廊下窓３２２に例示される工事物件３１０の施工箇所３２０を識別する番号（３２１〜３２９）が、対象箇所ＴＰに対応づけられて格納されている。なお、図１では、出入口３２３、北西側窓３２４、南西側窓３２５、南壁３２６、東壁３２７、廊下内壁３２８およびトイレ３２９の図示は省略している。
【００２７】
工事画像収集装置１００の受信部２０は、画像データＧＤとともに、携帯端末２００の操作者により入力された施工箇所３２０を識別する識別情報ＴＩを携帯端末２００から受け付ける。
【００２８】
工事画像収集装置１００の記憶部１０は、上述のように施工箇所３２０を示す撮影対象リストデータＬＤと設計図データＤＤとを対応づけて記憶している。そして、保存処理部３０は、識別情報ＴＩと撮影対象リストデータＬＤとを対比して、画像データＧＤを設計図データＤＤにおける施工箇所３２０と関連づける。
【００２９】
受信部２０が受け付ける識別情報ＴＩは、施工箇所３２０を示す音声データＶＤである。
また、工事画像収集装置１００は、音声データＶＤをテキストデータＴＸに変換する音声認識部４０を含み、保存処理部３０は、変換されたテキストデータＴＸと撮影対象リストデータＬＤとを対比して、画像データＧＤを設計図データＤＤにおける施工箇所３２０と関連づける。
【００３０】
すなわち、携帯端末２００は、施工箇所３２０を示す音声データＶＤを識別情報ＴＩとして工事画像収集装置１００に送信する。そして、工事画像収集装置１００は、受信した音声データＶＤをテキストデータＴＸに変換するとともに、変換されたテキストデータＴＸと撮影対象リストデータＬＤとを対比して、画像データＧＤを設計図データＤＤと関連づける。
【００３１】
保存処理部３０は、受信部２０が受け付けた識別情報ＴＩが音声データＶＤであることを検知すると、かかる識別情報ＴＩを音声認識部４０に送信する。音声認識部４０は、公知の音声認識技術により識別情報ＴＩから音声素片を抽出し、施工箇所３２０（３２１〜３２９）を示すテキストデータＴＸに変換して保存処理部３０に返送する。
ここで、識別情報ＴＩとしては、施工箇所３２０の名称を用いてもよく、対象箇所ＴＰの識別符号（ＴＰ１〜ＴＰ９）を用いてもよい。
【００３２】
なお、本実施形態においては識別情報ＴＩとして音声データＶＤを用いているが、本発明においては、これに代えて、携帯端末２００よりキー入力されたテキストデータを用いてもよい。この場合、保存処理部３０は、受け付けられたテキストデータと撮影対象リストデータＬＤとを対比して、画像データＧＤを設計図データＤＤにおける施工箇所３２０と関連づける。
【００３３】
保存処理部３０は、施工箇所３２０を示すテキストデータＴＸと、記憶部１０に記憶されている撮影対象リストデータＬＤを照合部５０に送る。照合部５０は、受信したテキストデータＴＸと、撮影対象リストデータＬＤの識別符号または名称とを照合することにより、携帯端末２００から受信した画像データＧＤが、設計図データＤＤと関連づけて保存すべきものであるか否かを判定する。照合部５０は、照合結果を示す適否情報ＡＩと、テキストデータＴＸの識別情報ＴＩと撮影対象リストデータＬＤとを照合して得られる対象箇所ＴＰの識別符号（ＴＰ１〜ＴＰ９）を保存処理部３０に送信する。
適否情報ＡＩが「適」の場合、すなわち、画像データＧＤが設計図データＤＤと関連づけて保存すべきものと判定された場合、保存処理部３０は、かかる画像データＧＤを、設計図データＤＤにおける対象箇所ＴＰと関連づけて記憶部１０に保存する。
【００３４】
画像データＧＤを設計図データＤＤに関連づける方法を具体的に説明する。
図４は、記憶部１０のフォルダ構成の一例を示す図である。
ツリー型のフォルダ構成の上位にあたるルートディレクトリ（ＲＯＯＴ）には、設計図データＤＤおよび撮影対象リストデータＬＤが保存されている。ルートディレクトリの下位には、対象箇所ＴＰ（ＴＰ１〜ＴＰ９）ごとにフォルダが用意されている。
【００３５】
保存処理部３０は、対象箇所ＴＰの識別符号（ＴＰ１〜ＴＰ９）を照合部５０より受け取ると、携帯端末２００より受信した画像データＧＤを、該当するフォルダに保存する。
これにより、工事物件３１０の施工箇所３２０（３２１〜３２９）に関する撮影画像が、設計図データＤＤと関連づけて記憶部１０に保存される。
図４では、対象箇所ＴＰ１、ＴＰ２およびＴＰ９に関して画像データＧＤが保存され、対象箇所ＴＰ３およびＴＰ４に関しては画像データＧＤが未保存である状態が示されている。
【００３６】
工事物件３１０の撮影は、施工箇所３２０の施工開始前、施工の途中段階、施工後など、各箇所につき複数枚に亘る場合がある。かかる場合、保存処理部３０は、画像データＧＤのファイル名に撮影日時を含めるなどして、記憶部１０のフォルダに保存される複数枚の画像を識別可能とする。
【００３７】
図５（ａ）、（ｂ）は、撮影指示データＩＤの一例を示す図である。撮影指示データＩＤは、記憶部１０に格納された設計図データＤＤを元に作成され、イメージデータ、テキストデータまたはそれらの組み合わせなどにより、設計図データＤＤに含まれる対象箇所ＴＰのうち画像データＧＤが未撮影の箇所を携帯端末２００に表示させるためのデータである。
本実施形態の工事画像収集装置１００は、撮影指示データＩＤとして、同図（ａ）に示すイメージデータ（撮影指示イメージＩＤＩ）と、同図（ｂ）に示すテキストデータ（撮影指示テキストＩＤＴ）とを、あわせて携帯端末２００に送信する。撮影指示イメージＩＤＩは、設計図データＤＤに基づいて生成され、対象箇所ＴＰのうち、画像データＧＤが未取得の対象箇所ＴＰ３、ＴＰ４が強調表示されている画像データである。また、撮影指示テキストＩＤＴは、画像データＧＤが未取得の対象箇所ＴＰ３、ＴＰ４がリスト表示されたテキストデータである。
【００３８】
操作者は、撮影指示データＩＤにて指示された対象箇所ＴＰ（ＴＰ４）に該当する北西側窓３２４に関する画像を携帯端末２００で撮影すると、撮影指示データＩＤにて示された対象箇所ＴＰ（ＴＰ４）に対応する応答情報ＲＩを、取得した画像データＧＤ、および北西側窓３２４を示す音声データＶＤである識別情報ＴＩとともに、工事画像収集装置１００に対して送信する。
【００３９】
受信部２０は、携帯端末２００が受信した撮影指示データＩＤにて示された対象箇所ＴＰ（ＴＰ４）に対応する応答情報ＲＩを、画像データＧＤおよび識別情報ＴＩとともに携帯端末２００より受け付ける。
【００４０】
図６は、携帯端末２００から受信部２０に送信されるデータＤＴの構造を示す模式図である。データＤＴは、ヘッダ領域ＨＡと本体領域ＢＡとからなる。ヘッダ領域ＨＡには、応答情報ＲＩおよび識別情報ＴＩのほか、工事画像収集装置１００の受信部２０に関する宛先を示すアドレス情報（図示せず）が含まれている。本体領域ＢＡには、画像データＧＤが含まれている。
【００４１】
データＤＴは、例えば、撮影指示テキストＩＤＴに含まれる対象箇所ＴＰのいずれかを携帯端末２００で選択した状態で、対象箇所ＴＰに該当する施工箇所３２０を撮影し、あわせて音声入力部２０６を通じて当該施工箇所３２０の名称を携帯端末２００に入力することにより生成される。かかるデータＤＴは、携帯端末２００の端末記憶部２２０（図１を参照）に一旦格納されたうえで工事画像収集装置１００に送信される。
【００４２】
工事画像収集装置１００は、受信部２０にてデータＤＴを受信すると、受け付けられた応答情報ＲＩに対応する対象箇所ＴＰ（ＴＰ４）と、識別情報ＴＩに対応する対象箇所ＴＰとを照合し、画像データＧＤの適否を判定する。かかる判定は照合部５０にておこなう。
【００４３】
すなわち、工事画像収集装置１００では、受け付けられたデータＤＴのヘッダ領域ＨＡを保存処理部３０にて解析する。そして、これに含まれる識別情報ＴＩが音声データＶＤであると判定されると、かかる音声データＶＤを音声認識部４０にてテキストデータＴＸに変換する。
次に、保存処理部３０は、ヘッダ領域ＨＡに含まれる応答情報ＲＩを、音声認識部４０でテキストデータＴＸに変換された識別情報ＴＩとともに照合部５０に送信する。
【００４４】
照合部５０では、かかるテキストデータＴＸの内容と、応答情報ＲＩとが一致していることを照合する。これが一致していた場合、データＤＴの本体領域ＢＡに含まれる画像データＧＤが撮影指示データＩＤに適合するものであると判定される。
【００４５】
そして、指示部６０は、照合部５０による照合結果を示す適否情報ＡＩを携帯端末２００に送信する。
すなわち、テキストデータＴＸと識別情報ＴＩとが一致すると照合部５０で判定された場合、すなわち、適否情報ＡＩが「適」の場合、指示部６０は携帯端末２００に対して画像データＧＤが工事画像収集装置１００にて受け付けられたことを示す適否情報ＡＩを送信する。
かかる場合、保存処理部３０は、データＤＴに含まれる画像データＧＤを、設計図データＤＤにおける対象箇所ＴＰ（ＴＰ４）と関連づけて記憶部１０に保存する。
【００４６】
一方、テキストデータＴＸと識別情報ＴＩとが一致しないと照合部５０で判定された場合、すなわち、適否情報ＡＩが「不適」の場合、指示部６０は携帯端末２００に対して画像データＧＤの再取得と再送信を要求する旨の情報を適否情報ＡＩとして送信する。
【００４７】
本実施形態の工事画像収集装置１００は、記憶部１０にて、対象箇所ＴＰごとの施工予定時期を示す工程データＳＤをさらに記憶している（図１を参照）。
そして、指示部６０は、撮影指示データＩＤとして、画像データＧＤが関連づけられていない複数の対象箇所ＴＰのうち、施工予定時期がもっとも近接する対象箇所ＴＰ４を示すデータを携帯端末２００に送信する。
【００４８】
図７は、工程データＳＤの一例を具体的に示す図である。同図では、工程データＳＤの例としてガントチャートを示しているが、工程データＳＤのデータ形式はこれに限られない。
工程データＳＤには、対象箇所ＴＰごとの施工実績と施工予定時期を示すスケジュール情報が含まれている。同図では、施工開始日を上向き三角（△）で示し、施工終了日を下向き三角（▼）で示している。また、施工終了日と施工開始日とを結ぶ破線は、当該対象箇所ＴＰが複数の工期に亘って施工されることを示している。
そして、本実施形態では、各工期の開始前と、終了後に、当該対象箇所ＴＰの画像データＧＤを撮影して工事画像収集装置１００にて保存するものとする。
【００４９】
携帯端末２００にて画像データＧＤを撮影する作業日を、図示のように例えば７月４日とする。
対象箇所ＴＰ１（エレベータ３２１：図３を参照）は、７月２日に施工が終了しており、施工終了後の画像は設計図データＤＤと関連づけて既に保存されている（図４を参照）。
対象箇所ＴＰ２（廊下窓３２２）は、７月１日に第一工期が終了した時点で画像データＧＤが撮影され、７月３日の第二工期の開始時点でも画像データＧＤが撮影されている。
対象箇所ＴＰ３（出入口３２３）は、７月２日に第一工期が終了した時点で画像データＧＤ（図示せず）が撮影されているが、７月７日に開始する第二工期の開始前に関する画像データＧＤは未取得である。
対象箇所ＴＰ４（北西側窓３２４）は、７月５日に第一工期が開始する予定であるが、画像データＧＤは未取得である。
対象箇所ＴＰ９（トイレ３２９）は、７月１日に施工が完了し、画像データＧＤは取得済みである。
【００５０】
ここで、本実施形態の工事画像収集装置１００は、取得すべき画像データＧＤがいまだ関連づけられていない対象箇所ＴＰ３，ＴＰ４のうち、施工予定時期がより近接する対象箇所ＴＰ４を強調するデータを、撮影指示データＩＤとして携帯端末２００に送信する。具体的には、図５に示すように、撮影指示イメージＩＤＩでは対象箇所ＴＰ４を対象箇所ＴＰ３よりも強調表示し、撮影指示テキストＩＤＴでは、対象箇所ＴＰ４を対象箇所ＴＰ３よりも上位に表示する。なお、本実施形態では画像データＧＤが未取得の対象箇所ＴＰを全て表示することとしているが、これに代えて、対象箇所ＴＰ４のみを撮影指示データＩＤに含めてもよい。
【００５１】
かかる撮影指示データＩＤを携帯端末２００にて受信することにより、操作者は、もっとも優先して画像データＧＤを取得すべき対象箇所ＴＰを把握することができる。
【００５２】
＜工事画像収集方法およびコンピュータプログラム＞
図８は、本実施形態の工事画像収集装置１００による工事画像収集方法を示すフローチャートである。また、図９は、本実施形態の工事画像収集システム１０００による工事画像収集方法を示すシーケンス図である。
【００５３】
本実施形態による工事画像収集方法は、画像撮影部２１０を備える携帯端末２００と接続された工事画像収集装置１００を用いて、工事物件３１０に関する複数箇所の画像データＧＤを工事物件３１０の設計図データＤＤと関連づけて収集する方法であり、以下の受信ステップＳ１４０、保存ステップＳ２００および指示送信ステップＳ１３０を含んでいる。
受信ステップＳ１４０では、画像撮影部２１０により撮影された工事物件３１０の施工箇所３２０に関する画像データＧＤを携帯端末２００から受け付ける。
保存ステップＳ２００では、受け付けられた画像データＧＤを、設計図データＤＤにおける対象箇所ＴＰと関連づけて保存する。
指示送信ステップＳ１３０では、画像データＧＤが関連づけられていない施工箇所３２０の一部または全部を示す撮影指示データＩＤを、携帯端末２００に対して送信する。
【００５４】
また、本実施形態による工事画像収集方法では、指示送信ステップＳ１３０にて、画像データＧＤが関連づけられていない複数の施工箇所３２０のうち、施工予定時期がもっとも近接する施工箇所３２０を示すデータを、撮影指示データＩＤとして携帯端末２００に対して送信する。
【００５５】
また、受信ステップＳ１４０では、携帯端末２００が受信した撮影指示データＩＤにて示された施工箇所３２０に対応する応答情報ＲＩを、画像データＧＤとともに携帯端末２００より受け付ける。
【００５６】
そして、受信ステップＳ１４０では、画像データＧＤとともに、携帯端末２００の操作者により入力された施工箇所３２０を識別する識別情報ＴＩを携帯端末２００から受け付ける。
【００５７】
また、本実施形態によるコンピュータプログラムは、以下の受信処理、保存処理および指示送信処理を工事画像収集装置１００に実行させる。
受信処理では、工事画像収集装置１００は、画像撮影部２１０により撮影された工事物件３１０の施工箇所３２０に関する画像データＧＤを携帯端末２００から受け付ける。
保存処理では、工事画像収集装置１００は、受け付けられた画像データＧＤを、設計図データＤＤにおける対象箇所ＴＰと関連づけて保存する。
指示送信処理では、工事画像収集装置１００は、画像データＧＤが関連づけられていない施工箇所３２０の一部または全部を示す撮影指示データＩＤを、携帯端末２００に対して送信する。
【００５８】
また、本実施形態によるコンピュータプログラムでは、指示送信処理にて、画像データＧＤが関連づけられていない複数の施工箇所３２０のうち、施工予定時期がもっとも近接する施工箇所３２０を示すデータを、撮影指示データＩＤとして携帯端末２００に対して送信する。
【００５９】
また、受信処理では、携帯端末２００が受信した撮影指示データＩＤにて示された施工箇所３２０に対応する応答情報ＲＩを、画像データＧＤとともに携帯端末２００より受け付ける。
【００６０】
そして、受信処理では、画像データＧＤとともに、携帯端末２００の操作者により入力された施工箇所３２０を識別する識別情報ＴＩを携帯端末２００から受け付ける。
【００６１】
以下、図８，９を参照して、本実施形態による工事画像収集方法をさらに詳細に説明する。
工事画像収集装置１００は、携帯端末２００からの撮影指示データ要求Ｒｅｑを待つ（Ｓ１１０：Ｎ）。受信部２０（図１を参照）が撮影指示データ要求Ｒｅｑを受信すると（Ｓ１１０：Ｙ）、保存処理部３０は記憶部１０に対して参照要求ＲＥＦを送信し（Ｓ１１２）、撮影対象リストデータＬＤおよび工程データＳＤとともに、記憶部１０に保存されている画像データＧＤのリスト（撮影済みリストＳＬ）を受け取る（Ｓ１１４）。
【００６２】
保存処理部３０は、撮影対象リストデータＬＤと撮影済みリストＳＬとの差分より、画像データＧＤが未取得の対象箇所ＴＰに関するリスト（未撮影リスト）を作成する。そして、保存処理部３０は、かかる未撮影リストと工程データＳＤとから、施工予定時期が近接する順に上記対象箇所ＴＰを並べ替えて撮影指示テキストＩＤＴを作成する。
したがって、撮影指示データＩＤには、画像データＧＤが関連づけられていない複数の施工箇所３２０のうち、施工予定時期がもっとも近接する施工箇所３２０を示すデータが含まれる。
【００６３】
また、保存処理部３０は、設計図データＤＤに基づき、撮影指示テキストＩＤＴの上位にリストされた対象箇所ＴＰを強調表示した撮影指示イメージＩＤＩを作成する（Ｓ１２０）。
【００６４】
作成された撮影指示データＩＤは、指示送信ステップＳ１３０にて、保存処理部３０より指示部６０を介して携帯端末２００に送信される。
撮影指示データＩＤを受信した携帯端末２００の操作者は、撮影指示イメージＩＤＩの強調表示する対象箇所ＴＰ（施工箇所３２０）まで移動して、携帯端末２００の画像撮影部２１０により当該施工箇所３２０の画像データＧＤを撮影する。
【００６５】
撮影された画像データＧＤは、撮影指示データＩＤで指示された対象箇所ＴＰに対応する応答情報ＲＩと、撮影した施工箇所３２０の名称を示す音声データＶＤによる識別情報ＴＩとともに、携帯端末２００より工事画像収集装置１００にむけてデータＤＴとして送信される（Ｓ１３２）。
【００６６】
受信ステップＳ１４０にて、工事画像収集装置１００は、データＤＴの受信を待ち（Ｓ１４０：Ｎ）、これを受信すると（Ｓ１４０：Ｙ）、受信ステップＳ１４０を終了する。
なお、受信ステップＳ１４０では、データＤＴに含まれる識別情報ＴＩとして、施工箇所３２０を示す音声データＶＤを携帯端末２００から受け付ける。
【００６７】
保存ステップＳ２００では、保存処理部３０は音声データＶＤをテキストデータＴＸに変換する（Ｓ２１０）。具体的には、保存処理部３０は音声データＶＤを音声認識部４０に送信し（Ｓ２１２）、音声認識部４０はこれをテキストデータＴＸに変換して保存処理部３０に返送する（Ｓ２１４）。
【００６８】
つぎに、工事画像収集装置１００では、データＤＴに含まれる画像データＧＤの適否を判定する（Ｓ２２０）。具体的には、まず、音声認識部４０でテキスト化された識別情報ＴＩが、撮影指示データＩＤとともに保存処理部３０より照合部５０に送られる（Ｓ２２２）。このとき、データＤＴに含まれる応答情報ＲＩを、あわせて照合部５０に送信する。
【００６９】
照合部５０では、応答情報ＲＩと識別情報ＴＩとが判定される。応答情報ＲＩと識別情報ＴＩとが一致した場合、つぎに識別情報ＴＩが撮影指示データＩＤに含まれるか否かが判定される。
上記判定がいずれも肯定された場合、画像データＧＤは「適」と判定される（Ｓ２２０：Ｙ）。上記判定のいずれかが否定された場合、画像データＧＤは「不適」と判定される（Ｓ２２０：Ｎ）。
照合部５０は、かかる適否情報ＡＩを保存処理部３０に送信する（Ｓ２２４）。保存処理部３０は、携帯端末２００に対して適否情報ＡＩを送信する（Ｓ２３０，２４０）。具体的には、適否情報ＡＩの内容が「不適」であった場合（Ｓ２２０：Ｎ）、保存処理部３０は携帯端末２００に対して再撮影を指示する（Ｓ２３０）。また、適否情報ＡＩの内容が「適」であった場合（Ｓ２２０：Ｙ）、保存処理部３０は携帯端末２００に対して、適合通知を送信する（Ｓ２４０）。
【００７０】
画像データＧＤが「適」と判定された場合（Ｓ２２０：Ｙ）、保存処理部３０は、記憶部１０のツリー型のフォルダ構成のうち、識別情報ＴＩに対応するフォルダに画像データＧＤを格納する。これにより、画像データＧＤと設計図データＤＤとを関連づける連関ステップＳ２５０が行われるとともに、画像データＧＤが記憶部１０に保存される（Ｓ２６０）。
そして、保存処理部３０は、識別情報ＴＩに関する画像データＧＤが取得されたことを受けて、撮影済みリストＳＬを更新して記憶部１０に保存する（Ｓ２７０）。
【００７１】
以上により、本実施形態による工事画像収集方法の一連の工程が終了する。携帯端末２００は、撮影指示データＩＤに基づき、他の対象箇所ＴＰに関する画像データＧＤをさらに撮影して工事画像収集装置１００に送信してもよい。
または、携帯端末２００では、更新された撮影済みリストＳＬに基づく新たな撮影指示データＩＤを工事画像収集装置１００より受信してから、他の対象箇所ＴＰに関する画像データＧＤを撮影してもよい。
【００７２】
上記本実施形態の工事画像収集装置１００および工事画像収集システム１０００の作用効果について説明する。
本実施形態では、画像データＧＤが関連づけられていない対象箇所ＴＰの全部または一部を示す撮影指示データＩＤを工事画像収集装置１００から携帯端末２００に送信する。よって、携帯端末２００の操作者は、工事画像収集装置１００より撮影指示データＩＤ（撮影指示イメージＩＤＩ，撮影指示テキストＩＤＴ）を受信してこれを表示部２０２に表示させることで、工事物件３１０のうち画像データＧＤが未取得の施工箇所３２０を確実に把握することができる。
【００７３】
本実施形態では、対象箇所ＴＰごとの施工予定時期を示す工程データＳＤを記憶しており、画像データＧＤが関連づけられていない複数の対象箇所ＴＰのうち、施工予定時期がもっとも近接する対象箇所ＴＰ４を示すデータを、撮影指示データＩＤとして携帯端末２００に送信する。これにより、画像データＧＤの未取得により当該施工箇所３２０の施工工程を遅延させることがない。また、画像データＧＤが未取得のまま当該施工箇所３２０の施工を先に進めてしまう不都合が回避される。
【００７４】
本実施形態では、撮影指示データＩＤにて示された対象箇所ＴＰに対応する応答情報ＲＩを、画像データＧＤおよび識別情報ＴＩとともに携帯端末２００から工事画像収集装置１００に送信する。これにより、工事画像収集装置１００では、携帯端末２００より受信した画像データＧＤの撮影対象箇所が、適切な対象箇所ＴＰであることを把握することができる。
【００７５】
本実施形態では、画像撮影部２１０により撮影された工事物件３１０の施工箇所３２０に関する画像データＧＤとともに、携帯端末２００の操作者により入力された、当該施工箇所３２０を識別する識別情報ＴＩを携帯端末２００から受け付ける。かかる構成により、携帯端末２００より受け付ける画像データＧＤの撮影対象箇所を、ＧＰＳ情報では特定しきれない高い位置精度にて工事画像収集装置１００は知得することができる。
これにより、工事物件３１０が施工箇所３２０として大小様々な要素を含む建築物である場合にも、操作者が自ら撮影した施工箇所３２０を指定して画像データＧＤを送信することができるため、設計図データＤＤと画像データＧＤとを確実に対応づけて保存することができる。
【００７６】
本実施形態では、撮影された施工箇所３２０を示す音声データＶＤが識別情報ＴＩとして送受信される。
これにより、音声通話機能を標準的に備える携帯電話機を携帯端末２００として使用した場合に、携帯端末２００の操作者は、特別な入力操作を要せず容易に識別情報ＴＩを工事画像収集装置１００に伝達することができる。
【００７７】
本実施形態では、工事画像収集装置１００で受信した応答情報ＲＩに対応する対象箇所ＴＰと、識別情報ＴＩに対応する対象箇所ＴＰとを照合して画像データＧＤの適否を判定する。これにより、工事画像収集装置１００では、撮影指示データＩＤに対応する画像データＧＤが携帯端末２００より送信されてきたか否かを容易に照合することができる。
【００７８】
本実施形態では、照合部５０による照合結果を示す適否情報ＡＩを工事画像収集装置１００より携帯端末２００に送信する。これにより、携帯端末２００の操作者は、撮影および送信した画像データＧＤが適切（「適」）と判定されたことを工事物件３１０の施工現場に居ながら知得することができる。このため、送信した画像データＧＤが仮に不適切（「不適」）と判定された場合も、続けて新たな画像データＧＤを撮影して工事画像収集装置１００に再送信することができる。よって、画像データＧＤの撮影または送信にミスが生じたとしても、当該施工箇所３２０の施工スケジュールを遅延することがない。
【００７９】
なお、本発明は上述の実施形態に限定されるものではなく、本発明の目的が達成される限りにおける種々の変形、改良等の態様も含む。
【００８０】
例えば上記実施形態において、受信部２０が受け付ける識別情報ＴＩが、施工箇所３２０を撮影した際の画像撮影部２１０の位置および向きを示す視線情報ＶＩを含むこととしてもよい。
視線情報ＶＩは、携帯電話機の電子コンパス機能に基づいて生成し、画像データＧＤとともに携帯端末２００から工事画像収集装置１００に送信されるデータＤＴのヘッダ領域ＨＡに含めることが可能である。
データＤＴに視線情報ＶＩを追加することにより、撮影された画像データＧＤに対応する対象箇所ＴＰに関する情報が増加し、画像データＧＤの適否判定がより好適に行われる。
【００８１】
また、携帯端末２００の端末記憶部２２０には、受信した撮影指示データＩＤおよび撮影した画像データＧＤを記憶することとしてもよい。
これにより、工事物件３１０の地下など、携帯端末２００と工事画像収集装置１００との通信が不可能な位置にある施工箇所３２０を撮影する場合も、操作者は、撮影指示データＩＤを端末記憶部２２０にダウンロードしてから当該施工箇所３２０に移動することができる。また、画像データＧＤを端末記憶部２２０に一旦格納し、工事画像収集装置１００との通信が可能な地上などに移動してからデータＤＴを工事画像収集装置１００に送信することが可能である。
これにより、工事物件３１０の種別や施工箇所３２０の位置によらず、本実施形態の工事画像収集システム１０００により工事画像を取得することが可能となる。
【００８２】
また、上記実施形態では、撮影した施工箇所３２０を示す音声データＶＤをテキストデータＴＸに変換する音声認識部４０を工事画像収集装置１００が備えている態様を例示したが、本発明はこれに限られない。音声認識手段を携帯端末２００に搭載し、かかる音声データＶＤを携帯端末２００の側でテキストデータＴＸに変換してもよい。
【００８３】
また、画像データＧＤが関連づけられていない対象箇所ＴＰを示す撮影指示データＩＤには、対象箇所ＴＰの名称や記号とともに、取得すべき画像データＧＤの解像度や視野範囲が含まれてもよい。かかる解像度や視野範囲の指定は、複数の対象箇所ＴＰごとに個別に行ってもよい。
【００８４】
また、照合部５０では、上述のように識別情報ＴＩと撮影対象リストデータＬＤとの照合、または識別情報ＴＩと応答情報ＲＩとの照合を行うほか、識別情報ＴＩとともに携帯端末２００より受信した画像データＧＤの適否を判定することとしてもよい。
具体的には、照合部５０において画像データＧＤを画像処理して、これに含まれる対象箇所ＴＰの特徴点を抽出する。一方、記憶部１０には、対象箇所ＴＰごとに輪郭線の形状やコーナー同士の相対位置などの特徴点を予め登録しておく。そして、照合部５０では、画像データＧＤより抽出された特徴点と、記憶部１０に登録された特徴点との一致度を演算することにより、受信した画像データＧＤの適否を判定して結果を保存処理部３０に送信する。
保存処理部３０は、判定結果である特徴点の一致度が所定の閾値以上であった場合は、画像データＧＤが設計図データＤＤと関連づけて保存すべきものであることを示す適否情報ＡＩを、指示部６０を介して携帯端末２００に送信する。そして、特徴点の一致度が閾値未満であった場合は、画像データＧＤが不適切であったことを示す適否情報ＡＩを携帯端末２００に送信する。
【００８５】
また、上記実施形態において指示部６０は、撮影対象リストデータＬＤに含まれる対象箇所ＴＰのうち施工予定時期がもっとも近接するものを撮影指示データＩＤとして携帯端末２００に送信する。本発明においては、これに代えて、または撮影指示データＩＤとあわせて、当該対象箇所ＴＰを撮影すべきことを示すアラーム情報を携帯端末２００に出力させることとしてもよい。
かかるアラーム情報は、携帯端末２００の表示部２０２に表示出力させてもよく、または呼び出し音などの音声により携帯端末２００で出力させてもよい。
【００８６】
また、工事画像収集システム１０００においては、複数台の携帯端末２００を用いてもよい。この場合、工事画像収集装置１００より各携帯端末２００に送信する撮影指示データＩＤは、当該携帯端末２００に近接する対象箇所ＴＰを優先して作成してもよい。したがって、工事画像収集装置１００は、携帯端末２００からの撮影指示データ要求Ｒｅｑとともに、携帯端末２００よりＧＰＳ情報を取得して携帯端末２００の位置を取得する。そして、撮影対象リストデータＬＤに含まれる対象箇所ＴＰのうち、当該携帯端末２００の現在位置にもっとも近接する箇所を上位に表示した撮影指示データＩＤを工事画像収集装置１００より携帯端末２００に送信するとよい。
【００８７】
また、上記実施形態において、画像データＧＤと対象箇所ＴＰとの関連づけは、対象箇所ＴＰごとに用意されたフォルダに画像データＧＤを保存することにより行っているが、これに限られない。例えば、画像データＧＤのファイル名の一部に対象箇所ＴＰの名称または記号を含めるよう、画像データＧＤをリネームすることにより対象箇所ＴＰとの関連づけを行ってもよい。また、撮影対象リストデータＬＤに含まれる各対象箇所ＴＰに対して、画像データＧＤをハイパーリンクで結びつけることにより両者の関連づけを行ってもよい。
【図面の簡単な説明】
【００８８】
【図１】本発明の実施形態にかかる工事画像収集装置およびこれを含む工事画像収集システムのブロック図である。
【図２】設計図データの一例を示す模式図である。
【図３】撮影対象リストデータの一例を示す図である。
【図４】記憶部のフォルダ構成の一例を示す図である。
【図５】（ａ）、（ｂ）は、撮影指示データの一例を示す図である。
【図６】携帯端末から受信部に送信されるデータの構造を示す模式図である。
【図７】工程データの一例を具体的に示す図である。
【図８】工事画像収集装置による工事画像収集方法を示すフローチャートである。
【図９】工事画像収集システムによる工事画像収集方法を示すシーケンス図である。
【符号の説明】
【００８９】
１０    記憶部
２０    受信部
３０    保存処理部
４０    音声認識部
５０    照合部
６０    指示部
１００    工事画像収集装置
２００    携帯端末
２０２    表示部
２０４    キー入力部
２０６    音声入力部
２１０    画像撮影部
２２０    端末記憶部
３００    ネットワーク
３０２    基地局
３１０    工事物件
３２０    施工箇所
１０００    工事画像収集システム
【図１】
2010044716.tif 000003
【図２】
2010044716.tif 000004
【図３】
2010044716.tif 000005
【図４】
2010044716.tif 000006
【図５】
2010044716.tif 000007
【図６】
2010044716.tif 000008
【図７】
2010044716.tif 000009
【図８】
2010044716.tif 000010
【図９】
2010044716.tif 000011